(57)【要約】【課題】概ね平面状の上部部材と、上部部材から離隔された概ね平面状の下部部材と、内周リムと、外周リムとを有するほぼ環状のフープを含む、改良型ドラムヘッドを提供する。また、内周リムおよび外周リム内に画定される領域を横切って平らに延びている、ドラム表面を構成するフィルム材料または膜も提供する。【解決手段】環状ショルダが、ドラム表面のフィルム材料または膜と一体に形成され、その底部で、環状フープと同一平面に配向して平面状の上部部材と下部部材との間を延びている。このドラムヘッドは、タム、スネアドラム、バスドラム、タンバリン、コンガ、ボンゴ、ならびに他の多くのタイプの民族的ドラムおよびその他のドラムを含む、広範な打楽器と使用するように適合可能である。【選択図】図１
2005049807.tif 000002
【特許請求の範囲】
【請求項１】
ドラムヘッドであって、
概ね平面状の上部部材と、前記上部部材に平行に離隔された概ね平面状の下部部材と、内部リムと、外部リムとを有するフレーム部材と、
前記内部リム内に画定される領域を横切って平らに延びているドラム表面を構成する材料であって、前記ドラム表面構成材料が、それと一体形成された、前記ドラム表面から続く概ね垂直な連続壁面を含むリム部分と、前記リム部分の下方に形成され、前記壁面に関連し、基部部分を含むショルダ部材とを有しており、前記壁面がその基部で、前記内部リムと前記外部リムとの間に画定される領域を横切って平らに延びていて、前記ドラム表面構成材料と前記平面状上部部材および前記平面状下部部材との間の表面間接触を最大にし、前記ドラム表面構成材料のしっかりとした固定を保証しているドラム表面構成材料と、
前記ドラム表面構成材料を、前記フレーム部材の前記平面状上部部材と前記平面状下部部材との間に固定する手段とを含むドラムヘッド。
【請求項２】
前記環状フープが、前記ドラムヘッドをドラムシェルに固定する手段を含む、請求項１に記載のドラムヘッド。
【請求項３】
前記ドラムヘッドをドラムシェルに固定する前記手段が、前記ドラム表面構成材料に張力を加えることができる、請求項２に記載のドラムヘッド。
【請求項４】
前記環状フープの前記平面状上部部材が、１層または複数の層の材料を含む、請求項１に記載のドラムヘッド。
【請求項５】
前記環状フープの前記平面状下部部材が、１層または複数の層の材料を含む、請求項１に記載のドラムヘッド。
【請求項６】
前記ドラムヘッドをドラムシェルに固定する前記手段が、前記環状フープ内に配置された複数の開口部と、前記開口部に締付け式に係合し、ドラムシェルに連結するように適合された対応するボルト部材とを含んでいて、前記ドラムヘッドを支持し、前記ドラム表面構成材料に張力を加えることができる、請求項２に記載のドラムヘッド。
【請求項７】
前記環状フープの厚さが０．９５ｃｍ（３／８インチ）未満である、請求項１に記載のドラムヘッド。
【請求項８】
前記ドラム表面構成材料を前記環状フープの前記平面状上部部材と前記平面状下部部材との間に固定する前記手段が接着性化合物を含む、請求項１に記載のドラムヘッド。
【請求項９】
前記ドラム表面構成材料を前記環状フープの前記平面状上部部材と前記平面状下部部材との間に固定する前記手段が、前記環状フープ内に配置された複数の離隔された開口部と、それに対応する挿入可能なリベットまたはナットとボルトの組合せとを含む、請求項１に記載のドラムヘッド。
【請求項１０】
前記接着性化合物がポリアミドウェブ接着剤である、請求項８に記載のドラムヘッド。
【請求項１１】
前記平面状上部部材及び前記平面状下部部材がファイバボードで構成される、請求項１に記載のドラムヘッド。
【請求項１２】
前記平面状上部部材及び前記平面状下部部材が合成材料で構成される、請求項１に記載のドラムヘッド。
【請求項１３】
前記ドラム表面構成材料がポリエステルで構成される、請求項１に記載のドラムヘッド。
【請求項１４】
前記ドラムヘッドが所望の音程の音色を発するように調律可能である、請求項１に記載のドラムヘッド。
【請求項１５】
前記ドラム表面構成材料が１層より多くの層で構成される、請求項１に記載のドラムヘッド。
【請求項１６】
ドラムヘッドであって、
概ね平面状の上部部材と、前記上部部材に平行に離隔された概ね平面状の下部部材と、内部リムと、外部リムとを有するフレーム部材と、
ドラム表面を構成する材料であって、前記ドラム表面構成材料が、概ね垂直な連続壁面を含むリム部分と、前記リム部分の下方に形成され、前記壁面に関連したショルダ部材とを有しており、前記ショルダ部材が前記内部リムと前記外部リムとの間に画定される領域を平らに横切って延びているドラム表面構成材料と、
前記ドラム表面構成材料を、前記フレーム部材の前記平面状上部部材と前記平面状下部部材との間に固定する手段とを含むドラムヘッド。
【請求項１７】
前記フレーム部材が正方形である、請求項１に記載のドラムヘッド。
【請求項１８】
前記フレーム部材が長方形である、請求項１に記載のドラムヘッド。
【請求項１９】
前記フレーム部材が三角形である、請求項１に記載のドラムヘッド。
【発明の詳細な説明】
【技術分野】
【０００１】
本発明は、音楽用のドラムに関し、より詳細には、従来およびその他のタイプのドラムシェルと併せて万能ドラムヘッドとして使用できる改良型打楽器装置に関する。
【背景技術】
【０００２】
従来のドラムは、通常、木材、金属、または合成材料から形成される円筒形のシェル、あるいはこれらの組合せを備える。別個のドラムヘッドが取り付けられ、シェルの一端または両端を覆っており、所望のドラム音を発する接触面の働きをしている。
【０００３】
ドラムシェルは、普通は環状のシェル壁面がドラムヘッドの平面に垂直に配向するように構築される。従来のドラムヘッドは、張力を直角に加えることができるように形成され、その周辺部で曲げられている。すなわち、ドラムラグなど、シェルに連結された複数の装置を用いて、ヘッドの周辺部で（ヘッド表面に垂直な方向に）引っ張ってフィルムを伸張させ、張力を加えている。張力が作用する方向は、ヘッドの垂直軸に一致し、より具体的には、ヘッド部位の周辺部の周りに配置された湾曲または傾斜した部分に概ね垂直な平面に一致する。
【０００４】
一般に、従来のヘッドは、振動性のシートまたは膜を備え、これが、溝（ｃｈａｎｎｅｌ）を画定する内部リムと外部リムとを有する、普通は金属製の環状フープにかぶせて伸張されている。通常、その溝は、何らかのタイプの接着剤または樹脂で充填されており、その中に膜の湾曲した周辺部分または縁部が挿入される。次いで、接着剤または樹脂を硬化させると、フィルム（または膜）をフープに固定して確実に連結することができる。しばしば、樹脂が硬化するまで、曲線状の金属製の棒が、ドラムヘッド膜の、樹脂の下に沈められた部分の上の溝に挿入される。これがフープと膜との間の連結強度を増大させる。
【０００５】
次いで、ドラムヘッドをドラムシェルの一端（または両端）にかぶせて配置する。標準的なリム取付け式カウンタフープを、環状フープにかぶせて密接に接触させて配置して、ドラムヘッドをシェルに固定する。その後、必要に応じて、カウンタフープを任意の適当な張力付加機構と併せて使用して、ドラムヘッドに張力を加え、またはドラムヘッドを調律する。
【０００６】
フープと膜との間の連結は、比較的強いものにすることができるが、ある欠点が残っている。時間が経つと、この種の連結でさえも強度を失い、フープと樹脂と膜との間の結合関係が劣化し始める。これは、１つには、その中に沈められた比較的小さい膜片との強い結合を確保し維持しようとする少量の樹脂の間に存在する結合強度が限られていることを含め、ある種の物理的要因に帰着する。したがって、樹脂と接触している膜の表面積が最小になり、次第に結合が破断する。
【０００７】
従来技術のドラムヘッドに伴う他の欠点は、設計および構造の不適合が原因で、あるタイプのドラムシェルとは接合できないことである。たとえば、従来のドラムヘッドは、カウンタフープを用いてもコンガまたはボンゴタイプのドラムシェルとは容易に接合することができない。この状況では、ドラマーがドラムヘッドを手で打つ際に、そのプロセスでどうにかして手が（普通は金属製の）ドラムラグ・コンポーネントを打たないように保つのが困難になる。手と硬い金属ラグとが絶えず容赦なしに接触すると、次第に手に圧痛が生じ始め、最終的にはたび重なる衝撃にさらされた結果として深刻な痛みを受ける。
【発明の開示】
【発明が解決しようとする課題】
【０００８】
したがって、これだけに限るものではないが、タム、スネア、バスドラム、コンガ、ボンゴ、および他の民族的ドラムを含め、すべてのタイプの調律可能ドラムと併せて使用される、万能ドラムヘッド構造を提供することが望ましい。
【課題を解決するための手段】
【０００９】
本発明のドラムヘッドが採用している構造では、ヘッドの打面または接触面、すなわちフィルムまたは膜が、一体形成された環状のショルダまたは垂直壁面の上方に位置しており、このショルダまたは壁面が、その基部で、フィルムの上面または底面で基部に沿ってしっかりと結合している別個のフープ・コンポーネントと同一平面に配向して続いている。この改良型の楽器は、調律可能なまたは張力が加えられたフィルムを平らなフープと組み合わせることで、従来のフープと併せた標準的なリム取付け式カウンタフープと単純に接合したときよりも、フィルムをかなり自由に振動させることができる。改良型ドラムヘッドをいずれかの種類のドラムシェルと組み合わせると、これまでよりも音色の質および完全性がはるかに高い音が発せられる。
【００１０】
本発明には、他の応用例もある。シェル壁面の内側に取り付けられた適当な支持手段を用いて、ドラムヘッドを、シェルの周縁部の近くまたはほぼ同じ高さでシェルの開口部の適切な位置に支持し固定することができる。また改良型のドラムヘッドは、従来のシェルのリム部分にかぶせてから、従来の張力付加機構を用いてそこに据え付けるように適合させることもできる。コンガドラムと共に使用するときには、別個の環状片が丸みのあるまたは曲線状の最上面または外表面を有するカウンタフープを、環状ショルダを完全に包み込んで囲んでいる環状フープにかぶせて配置することができる。したがって、その上部外側または表面が膜の平面と一致しているこの環状片は、カウンタフープの働きをし、さらに、手の痛みまたは重篤な傷害を防ぐ保護／支持部材の働きをする。
【００１１】
好ましい実施形態では、本発明は、概ね平面状の上部部材と、上部部材から離隔された概ね平面状の下部部材と、内周リムと、外周リムとを有するほぼ環状のフープを含む、改良型ドラムヘッドを提供する。また、内周リムおよび外周リム内に画定される領域を横切って平らに延びているドラム表面を構成するフィルム材料または膜も提供する。環状ショルダが、ドラム表面のフィルム材料または膜と一体に形成され、その底部で、環状フープと同一平面に配向して平面状の上部部材と下部部材との間を延びている。
【００１２】
ドラムヘッドは、タム、スネアドラム、バスドラム、タンバリン、コンガ、ボンゴ、ならびに他の多くのタイプの民族的ドラムおよびその他のドラムを含む、広範な打楽器と使用するように適合可能である。
【００１３】
ドラムヘッドは、事前調律することもできるが、調律可能であることが好ましい。本発明の調律可能な実施形態では、張力付加機構が必要であり、それには、環状フープの本体内に離隔して形成された複数の開口部に挿入できる、いずれかの適当なボルトまたはロッドを含めることができる。張力付加ボルトまたはロッドと接合するラグナットまたは同様のタイプの装置は、回転させると、ドラムヘッドを締め付けて装置の調律を可能にする、フープの平面に垂直な力を生じる。張力付加機構は、意図される目的を達成するように、シェルの内側または外側の適当ないずれかの場所に据え付けることができる。また、平らなまたは丸みのある表面を備えるカウンタフープを用いて、ヘッドに適正な張力を加え、さらに本発明の外観に審美的に寄与させることもできる。また、丸みのある、またはアーチ形の上面を備えるカウンタフープも、手の痛みまたは傷害を防ぐ保護／支持部材の働きをする。
【００１４】
本発明の構造は、複数の層のフィルムと、シェル・コンポーネント内の同一平面フープの働きをする高密度ファイバボードとを使用するものにすることができる。層を結合させるのに、適当な接着剤が適用される。機械的な手段を使用して接着結合強度を増大させることができる。
【００１５】
フープおよびフィルム材料の形は、環状が好ましいが、楕円形、長方形、正方形、三角形、およびその他のさまざまな幾何学形状を含む、他の形状を採用することもできる。
したがって、本発明の目的は、平らなフープを使用する改良型打楽器を提供することである。
【００１６】
本発明の目的は、また、平らなフープと、打面のリムの下方に形成された環状ショルダを含むフィルムとを組み合わせる、改良型打楽器を提供することである。
本発明の他の目的は、ショルダの基部で水平に延びているフィルムの周辺領域と平坦なフープとの間の表面間接触が最大になる、改良型打楽器を提供することである。
【００１７】
本発明の他の目的は、ドラムヘッドのフィルム・コンポーネントを、従来の円筒形フープと接合したときに可能なよりもさらに自由に振動させることのできる、改良型打楽器を提供することである。
【００１８】
本発明の他の目的は、手の痛みまたは傷害を防ぐ保護／支持部材の働きもするカウンタフープに対応できる、改良型打楽器を提供することである。
本発明の他の目的は、従来技術の打楽器で可能なよりも音色の質および完全性の高い音を発する改良型打楽器を提供することである。
【００１９】
本発明の他の目的は、タム、スネア、バスドラム、コンガ、ボンゴ、および他のものを含め、多種多様なドラムと共にドラムヘッドとして使用するように適合可能な改良型打楽器を提供することである。
【００２０】
本発明の他の目的は、ヘッドを従来のドラムシェルと接合させ、適切に張力を加えて調律できるようにする、概ね平らなまたは丸みのある表面のカウンタフープと共に使用するように適合可能な改良型打楽器を提供することである。
【００２１】
本発明の他の目的は、事前調律されたまたは調律可能なコンバーチブル・ドラムヘッドを使用する改良型打楽器を提供することである。
本発明の他の目的は、製造が容易で費用効果の高い改良型打楽器を提供することである。
【００２２】
本発明の他の目的および利点は、本発明の好ましい実施形態を示す添付の図面に照らして以下の詳述を検討すれば明らかになろう。
【発明を実施するための最良の形態】
【００２３】
図１は、全体を符号１０で表す本発明の好ましい実施形態の斜視図を示している。ドラムヘッド１０は、調律可能であるが、事前調律（事前張力付加）することもでき、互いに平行に離隔された概ね平面状の上部部材１４と概ね平面状の下部部材１６とを有する環状フープ１２で構成される。フープ１２は、内周リム１８と外周リム２０とを含む。接触面またはドラム表面を構成するフィルム材料２２の層は、内周リム１８内に画定される領域２４を横切って平らに直線的に延び、続いて内周リム１８と外周リム２０との間に画定される領域２６を横切って、環状フープ１２のコンポーネントとフィルム材料２２との間の最大の接触表面積を保証している。ポリアミドウェブ接着剤や他のいずれかの適当な接着剤などの接着性材料２８を使用して、フィルム材料２２を平面状の上部部材１４と平面状の下部部材１６との間に結合させて固定することができる。事前調律されたヘッドの場合、接着性材料２８がまた、フィルム材料２２に適切な張力が加わるように維持する働きもする。追加的な機械的手段を使用して、フィルム材料２２に適正な張力が加わるのを補助し保証することができる。これには、たとえば、環状フープ１２内に形成され、径方向に離隔された複数の開口部３０が含まれる。ボルト３１または他の何らかの適当な装置をこれらの各開口部に挿入した後、ナット（図示せず）で固定し、締め付けて、環状フープ１２とフィルム材料２２との間の結合強度を増大させることができる。またこの目的にはリベット３５を使用することもできる。この点に関しては、また、いずれかの適当な天然または合成糸を使用した適切な縫い目（ｓｔｉｔｃｈｉｎｇ）３３も、任意で選択することができる。
【００２４】
平面状の上部部材１４および平面状の下部部材１６は、環状フープ１２が適切な強度および弾力性で確実に維持されるように、それぞれ１層または複数の層の材料で構成することができる。この目的の構造材料には、これだけに限るものではないが、中間密度から高密度までのファイバボード、ポリエステルフィルム（さまざまな厚さのもの）、およびアラミド複合繊維が含まれる。
【００２５】
ドラムヘッド１０は、さまざまなサイズおよび寸法で提供され、したがってそのコンポーネントを事前に切断することができる。また、円形、楕円形、長方形、正方形、三角形、および他の多彩な幾何学形状を含む、さまざまな形状を採用することができる。
【００２６】
好ましい一実施形態（図４のＡ）では、ドラムヘッド５０は、リム５４と、リム５４の下方に形成された環状ショルダ５６とを備える打面５２を含む。ドラムヘッド５０の周辺部５８は、概ね平面状の上部部材６２と概ね平面状の下部部材６４とで構成される環状フープ６０のコンポーネント間に固定され結合している。ドラムヘッド５０は、従来のいずれかのドラムシェルに適合させることができ、必要ならばカウンタフープおよびいずれかの適当な張力付加機構（図示せず）を使用して修正され、あるいは修正されない。コンガドラムシェル４９と共に使用するときには、たとえば、平らな下面６６と、丸みのあるまたは曲線状の上面６８とを備えるカウンタフープ６５が設けられ、これが奏者の手のための保護／支持部材の働きをして、その解剖学的な部分の痛みまたは傷害を防ぐ。
【００２７】
ドラムヘッド１０をより標準的なドラムシェル３２に適合させることが望ましいときには、従来のボルト３１およびラグ３７を開口部３０と併せて使用してドラムヘッド１０をシェル３２に固定し、それによってヘッドに張力を加えることができる。この実施形態では、平らなカウンタフープ３４を使用するのが適切である。平らなカウンタフープ３４のサイズおよび厚さは、ドラムヘッド１０のサイズおよび厚さ、ドラムシェル３２のサイズおよび体積、ならびにある種の経済的要因を含め、いくつかの要因に応じて変更することができる。望ましければ、シェル３２の高さをわずか２．５４ｃｍ（１インチ）程度から数十ｃｍ（数フィート）以上に及ぶものにすることができる。
【００２８】
他の実施形態では、ドラムヘッド１０を、標準的なドラムシェル４５の内壁４４に据え付けて固定するように適合させることができる。その場合、ヘッドは、環状フープ１２をその上に置くことのできるショルダ架台４６の支持によって、ネジ４７または他の何らかの適当な手段を使用して固定される。カウンタフープを使用することができ、あるいは使用しないこともできる。
【００２９】
本発明を、ある好ましい実施形態に関して記載するが、本発明をその特定の実施形態に制限しようとするものではないことを理解されたい。むしろ、添付の特許請求の範囲で定義する本発明の精神および範囲内に含めることのできる、すべての代替形態、修正形態、および均等物を包含するものとする。
【図面の簡単な説明】
【００３０】
【図１】本発明の改良型ドラムヘッドの斜視図である。
【図２】個々のコンポーネントを示す、本発明の改良型ドラムヘッドの分解図である。
【図３】本発明の改良型ドラムヘッドの部分断面図である。
【図４】Ａは、コンガシェルと併せて示す、本発明の改良型ドラムヘッドの斜視図である。Ｂは、Ａの線４Ａ−４Ａに沿った本発明の断面図である。
【図５】従来のドラムシェル上に（平らなカウンタフープを）組み込んで張力を加えようとしている様子を示す、本発明の改良型ドラムヘッドの斜視図である。
【図６】代替的な手段を使用して従来のドラムシェル上にヘッドを組み込んで張力を加えている様子を示す、本発明の改良型ドラムヘッドの斜視図である。
【符号の説明】
【００３１】
１０  ドラムヘッド
１２  環状フープ
１４  上部部材
１６  下部部材
１８  内周リム
２０  外周リム
２２  フィルム材料
２８  接着性材料
３０  開口部
３１  ボルト
３２  ドラムシェル
３３  縫い目
３４  カウンタフープ
３５  リベット
３７  ラグ
４４  シェル内壁
４５  ドラムシェル
４６  ショルダ架台
４７  ネジ
４９  コンガドラムシェル
５０  ドラムヘッド
５２  打面
５４  リム
５６  ショルダ
６０  環状フープ
６２  上部部材
６４  下部部材
６５  カウンタフープ
６６  下面
６８  上面
【図１】
2005049807.tif 000003
【図２】
2005049807.tif 000004
【図３】
2005049807.tif 000005
【図４】
2005049807.tif 000006
【図５】
2005049807.tif 000007
【図６】
2005049807.tif 000008